(57)【要約】【課題】タッチセンサを具備する携帯型情報機器において、所定の入力操作としてのタッチ操作を受け付けるタッチ領域をより適切に設定できるようにする。【解決手段】支点位置検出部２３０が、携帯端末装置１００（携帯型情報機器）を把持した状態で指を動かす際の親指の支点位置を検出し、指長取得部２２５が、親指の長さを取得する。そして、アプリケーション処理部２９０は、操作入力部１２０のタッチセンサがタッチを検出可能な領域のうち、親指の支点位置および親指の長さに基づいて求められる指の可動範囲内に、所定の入力操作としてのタッチ操作を受け付けるタッチ領域（例えば、押ボタンのアイコンの表示領域）を設定する。【選択図】図１
2013073330.tif 000002
【特許請求の範囲】
【請求項１】
携帯型電子機器であって、
タッチ位置を検出するタッチセンサと、
前記携帯型電子機器を把持した状態で指を動かす際の指の支点位置を検出する支点位置検出部と、
前記指の長さを取得する指長取得部と、
前記タッチセンサがタッチを検出可能な領域のうち、前記指の支点位置および前記指の長さに基づいて求められる指の可動範囲内に、所定の入力操作としてのタッチ操作を受け付けるタッチ領域を設定するタッチ領域設定部と、
を具備することを特徴とする携帯型電子機器。
【請求項２】
前記タッチセンサは、前記携帯型電子機器を把持する手の親指で操作可能なタッチ入力装置である前面タッチセンサであり、
前記支点位置検出部は、親指の支点位置を検出し、
前記指長取得部は、前記親指の長さを取得し、
前記タッチ領域設定部は、前記前面タッチセンサがタッチを検出可能な領域のうち前記親指の支点位置および前記親指の長さに基づいて求められる親指の可動範囲内に、前記前面タッチセンサにおけるタッチ領域を設定する、
ことを特徴とする請求項１に記載の携帯型電子機器。
【請求項３】
前記携帯型電子機器を把持する手の人差し指、中指、薬指または小指のいずれかで操作可能なタッチセンサである背面タッチセンサをさらに具備し、
前記支点位置検出部は、前記人差し指、中指、薬指または小指の少なくともいずれか１つの支点位置を検出し、
前記指長取得部は、前記支点位置検出部が支点位置を検出した指の長さを取得し、
前記タッチ領域設定部は、前記背面タッチセンサがタッチを検出可能な領域のうち、前記支点位置検出部が検出した指の支点位置および前記指長検出部が取得した指の長さに基づいて求められる指の可動範囲内に、前記背面タッチセンサにおけるタッチ領域を設定する、
ことを特徴とする請求項２に記載の携帯型電子機器。
【請求項４】
表示画面を有する表示部と、
前記背面タッチセンサが、前記タッチ領域設定部が設定した前記タッチ領域内でタッチ位置を検出すると、前記表示画面の当該タッチ位置に応じた位置にカーソルを表示させる表示制御部と、
を具備することを特徴とする請求項３に記載の携帯型電子機器。
【請求項５】
表示画面を有する表示部と、
前記表示画面にアイコンを表示させる表示制御部と、
前記前面タッチセンサの検出するタッチ操作および前記背面タッチセンサの検出するタッチ操作に応じて処理を行う処理部と、
を具備し、
前記前面タッチセンサは、前記表示画面に設けられ、
前記背面タッチセンサは、前記表示画面に対向する面に設けられ、
前記処理部は、前記前面タッチセンサが前記アイコンの表示領域へのタッチ操作を受け付けた場合と、前記背面タッチセンサが前記アイコンの表示領域に対向する領域へのタッチ操作を受け付けた場合とで異なる処理を行う、
ことを特徴とする請求項３に記載の携帯型電子機器。
【請求項６】
表示画面を有する表示部と、
前記表示部が前記表示画面にブラウザ画像を表示する状態において、前記背面タッチセンサが、前記タッチ領域設定部が設定した前記タッチ領域内でタッチ位置を検出すると、前記表示部に、直前に表示していた画面のブラウザ画像を表示させる処理部と、
を具備することを特徴とする請求項３に記載の携帯型電子機器。
【請求項７】
前記携帯型電子機器の筐体の傾きを検出する傾き検出部と、
前記表示画面にカーソルを表示させ、前記傾き検出部の検出する前記傾きに応じて前記カーソルを移動させ、前記背面タッチセンサが、前記タッチ領域設定部が設定した前記タッチ領域内でタッチ操作を検出すると、前記カーソルを停止させる表示制御部と、
を具備することを特徴とする請求項３に記載の携帯型電子機器。
【請求項８】
表示画面を有する表示部と、
前記表示画面にアイコンを表示させる表示制御部と、
前記前面タッチセンサの検出するタッチ操作および前記背面タッチセンサの検出するタッチ操作に応じて処理を行う処理部と、
を具備し、
前記前面タッチセンサは、前記表示画面に設けられ、
前記背面タッチセンサは、前記表示画面に対向する面に設けられ、
前記処理部は、前記前面タッチセンサが前記アイコンの表示領域へのタッチ操作を受け付けた場合と、前記背面タッチセンサが前記アイコンの表示領域に対向する領域へのタッチ操作を受け付けた場合とで同一の処理を行う
ことを特徴とする請求項３に記載の携帯型電子機器。
【請求項９】
タッチ位置を検出するタッチセンサを具備する携帯型電子機器のタッチ領域設定方法であって、
前記携帯型電子機器を把持した状態で指を動かす際の指の支点位置を検出する支点位置検出ステップと、
前記指の長さを取得する指長取得ステップと、
前記タッチセンサがタッチを検出可能な領域のうち前記指の支点位置および前記指の長さに基づいて求められる指の可動範囲内に、所定の入力操作としてのタッチ操作を受け付けるタッチ領域を設定するタッチ領域設定ステップと、
を具備することを特徴とするタッチ領域設定方法。
【請求項１０】
タッチ位置を検出するタッチセンサを具備する携帯型電子機器としてのコンピュータに、
前記携帯型電子機器を把持した状態で指を動かす際の指の支点位置を検出する支点位置検出ステップと、
前記指の長さを取得する指長取得ステップと、
前記タッチセンサがタッチを検出可能な領域のうち前記指の支点位置および前記指の長さに基づいて求められる指の可動範囲内に、所定の入力操作としてのタッチ操作を受け付けるタッチ領域を設定するタッチ領域設定ステップと、
を実行させるためのプログラム。
【発明の詳細な説明】
【技術分野】
【０００１】
本発明は、携帯型電子機器、タッチ領域設定方法およびプログラムに関する。
【背景技術】
【０００２】
タッチパネルまたはタッチパッドなどのタッチセンサを備える携帯型電子機器において、携帯型電子機器を把持した手で操作を容易に行えるようにするために幾つかの方法が提案されている。
例えば、特許文献１に記載の携帯端末は、タッチパネルを有する携帯端末であって、タッチパネル上にキーやアイコンである項目を配置する配置手段を有し、タッチパネル上または前記タッチパネル周辺には、操作するユーザの指の位置を感知するセンサをさらに有し、配置手段は、センサで感知した操作するユーザの指の位置によって、項目を指の位置近傍に配置する。
このように、項目を指の位置の近傍に配置することで、ユーザが操作し易い位置に項目が配置されることを期待し得る。
【先行技術文献】
【特許文献】
【０００３】
【特許文献１】特開２０１０−２０６０１号公報
【発明の概要】
【発明が解決しようとする課題】
【０００４】
携帯電子機器において、所定の入力操作としてのタッチ操作を受け付けるタッチ領域（特許文献１における「項目」）を設定（配置）する際、携帯型電子機器を把持した手で操作可能な領域をより正確に把握できれば、当該タッチ領域をより適切に設定し得る。
例えば、操作可能な領域が広い場合、操作可能な領域内に、より多くのアイコンを表示する、あるいは、各アイコンをより大きく表示することができる。
【０００５】
本発明は、上述の課題を解決することのできる携帯型電子機器、タッチ領域設定方法およびプログラムを提供することを目的としている。
【課題を解決するための手段】
【０００６】
この発明は上述した課題を解決するためになされたもので、本発明の一態様による携帯型電子機器は、携帯型電子機器であって、タッチ位置を検出するタッチセンサと、前記携帯型電子機器を把持した状態で指を動かす際の指の支点位置を検出する支点位置検出部と、前記指の長さを取得する指長取得部と、前記タッチセンサがタッチを検出可能な領域のうち、前記指の支点位置および前記指の長さに基づいて求められる指の可動範囲内に、所定の入力操作としてのタッチ操作を受け付けるタッチ領域を設定するタッチ領域設定部と、を具備することを特徴とする。
【０００７】
また、本発明の一態様によるタッチ領域設定方法は、タッチ位置を検出するタッチセンサを具備する携帯型電子機器のタッチ領域設定方法であって、前記携帯型電子機器を把持した状態で指を動かす際の指の支点位置を検出する支点位置検出ステップと、前記指の長さを取得する指長取得ステップと、前記タッチセンサがタッチを検出可能な領域のうち前記指の支点位置および前記指の長さに基づいて求められる指の可動範囲内に、所定の入力操作としてのタッチ操作を受け付けるタッチ領域を設定するタッチ領域設定ステップと、を具備することを特徴とする。
【０００８】
また、本発明の一態様によるプログラムは、タッチ位置を検出するタッチセンサを具備する携帯型電子機器としてのコンピュータに、前記携帯型電子機器を把持した状態で指を動かす際の指の支点位置を検出する支点位置検出ステップと、前記指の長さを取得する指長取得ステップと、前記タッチセンサがタッチを検出可能な領域のうち前記指の支点位置および前記指の長さに基づいて求められる指の可動範囲内に、所定の入力操作としてのタッチ操作を受け付けるタッチ領域を設定するタッチ領域設定ステップと、を実行させるためのプログラムである。
【発明の効果】
【０００９】
本発明によれば、所定の入力操作としてのタッチ操作を受け付けるタッチ領域をより適切に設定し得る。
【図面の簡単な説明】
【００１０】
【図１】本発明の第１の実施形態における携帯端末装置の機能構成を示す概略ブロック図である。
【図２】同実施形態における携帯端末装置を前面側から見た外形の概略を示す斜視図である。
【図３】同実施形態において可動範囲取得部が取得する親指の可動範囲の例を示す説明図である。
【図４】同実施形態において、可動範囲取得部が親指の可動範囲を取得する際の携帯端末装置１００の動作を示すフローチャートである。
【図５】同実施形態において、アプリケーション処理部が表示部の表示画面に、タッチ領域を示すアイコンを表示させる際の携帯端末装置の動作を示すフローチャートである。
【図６】本発明の第２の実施形態における携帯端末装置の機能構成を示す概略ブロック図である。
【図７】同実施形態における携帯端末装置を前面側から見た外形の概略を示す斜視図である。
【図８】同実施形態における携帯端末装置を背面側から見た外形の概略を示す斜視図である。
【図９】同実施形態において可動範囲取得部が取得する指の可動範囲の例を示す説明図である。
【図１０】同実施形態において筐体背面の辺に左手の掌が接触している状態の例を示す説明図である。
【図１１】同実施形態において、アプリケーション処理部が、第１表示部の表示画面と、第２表示部の表示画面とに互いに対向して設定するタッチ領域の例を示す説明図である。
【図１２】同実施形態において、アプリケーション処理部が、第１表示部の表示画面における位置を指定するタッチ領域を、第２表示部の表示画面上に設定した例を示す説明図である。
【発明を実施するための形態】
【００１１】
＜第１の実施形態＞
以下、図面を参照して、本発明を携帯端末装置に適用する場合を例に本発明の実施の形態について説明する。本発明は、携帯電話機や携帯情報端末装置などの様々な携帯端末装置に適用可能である。ただし、本発明の適用範囲は携帯端末装置に限らない。例えば、独立型の（すなわち、端末型でない）ゲーム機や電子辞書など、様々な携帯型情報機器に本発明を適用し得る。
【００１２】
図１は、本発明の第１の実施形態における携帯端末装置の機能構成を示す概略ブロック図である。同図において、携帯端末装置１００は、表示部１１０と、操作入力部１２０と、側面センサ部１３０と、音声入力部１４１と、音声出力部１４２と、無線通信部１５０と、制御部１８０と、記憶部１９０とを具備する。操作入力部１２０は、前面タッチセンサ（タッチセンサ）１２１を具備する。制御部１８０は、表示制御部２１０と、入力処理部２２０と、指長取得部２２５と、支点位置検出部２３０と、可動範囲取得部２３５と、音声処理部２４０と、通信制御部２５０と、アプリケーション処理部（タッチ領域設定部）２９０とを具備する。
【００１３】
携帯端末装置１００は、例えば携帯情報端末装置であり、ユーザ操作に応じてインターネットブラウジング（Internet Browsing）機能や電子メール機能など各種機能を提供する。
表示部１１０は、例えば液晶ディスプレイまたは有機ＥＬ（Organic Electro-Luminescence）ディスプレイ等の表示画面を有し、表示制御部２１０の制御に従って動画像や静止画像やテキスト（文字）などの各種画像を表示する。
【００１４】
操作入力部１２０は、表示部１１０の表示画面に設けられた前面タッチセンサ１２１にて、ユーザ操作を受け付ける。すなわち、表示部１１０の表示画面と操作入力部１２０のタッチセンサ１２１とで、タッチパネルを構成する。
操作入力部１２０は、表示部１１０の表示画面に対するタッチ操作を検出すると、タッチ位置（表示画面におけるタッチされた位置）を示す信号を入力処理部２２０に出力する。
【００１５】
音声入力部１４１はマイクを有し、周囲音を採取して音声信号に変換し、音声処理部２４０に出力する。
音声出力部１４２はスピーカを有し、音声処理部２４０からアナログの電気信号にて出力される音声信号を音声に変換して出力する。
【００１６】
側面センサ部１３０は、携帯端末装置１００の筐体側面に設けられたセンサを有し、ユーザが携帯端末装置１００の筐体を把持する際に、筐体側面に接触するユーザの手の位置を検出する。例えば、側面センサ部１３０は通電センサを有し、ユーザの手が当該通電センサに接触した際に、当該ユーザの手における電流の導通を検出することによってユーザの手の位置を検出する。ただし、側面センサ部１３０が有するセンサは、通電センサに限らず、ユーザの手の位置を検出可能なセンサであればよい。例えば、側面センサ部１３０が圧力センサを有し、携帯端末装置１００の筐体を把持するユーザの手から加わる圧力を検出することによってユーザの手の位置を検出するようにしてもよい。
【００１７】
無線通信部１５０は、無線基地局と通信を行うことにより、携帯電話通信網（通信事業者によって提供される携帯電話機用の無線通信ネットワーク）に接続する。具体的には、無線通信部１５０は、通信制御部２５０から出力される信号に対して変調処理を行って無線信号にて送信し、また、受信した無線信号に対して復調処理を行って通信制御部２５０に出力する。例えば、無線通信部１５０は、電子メールデータを無線信号にて送受信する。
【００１８】
制御部１８０は、携帯端末装置１００の各部を制御して各種機能を実行する。制御部１８０は、例えば、携帯端末装置１００の具備するＣＰＵ（Central Processing Unit、中央処理装置）が、携帯端末装置１００の具備するメモリからプログラムを読み出して実行することにより実現される。
【００１９】
表示制御部２１０は、表示部１１０を制御して各種画像を表示させる。具体的には、表示制御部２１０は、アプリケーション処理部２９０から出力される動画像データや静止画像データやテキストデータ等に基づいて画面表示用の信号を生成して表示部１１０に出力することにより、表示部１１０の表示画面に画像を表示させる。
【００２０】
入力処理部２２０は、操作入力部１２０が受け付けた操作に応じた信号をアプリケーション処理部２９０に出力する。
例えば、入力処理部２２０は、表示部１１０がアイコン（Icon）を表示している状態で、表示部１１０の表示画面におけるタッチ位置を示す信号が操作入力部１２０から出力されると、アイコンをタッチされたか否かを判定する。そして、入力処理部２２０は、アイコンをタッチされたと判定すると、タッチされたアイコンを示す情報をアプリケーション処理部２９０に出力する。なお、ここでいうアイコンは、ファイル、フォルダ、アプリケーションプログラムあるいは機能など、選択対象ないし指定対象となっている事物を象徴する画像である。
【００２１】
指長取得部２２５は、親指の長さを取得する。例えば、携帯端末装置１００は、親指の長さの入力を受け付ける親指長入力モードを有し、指長取得部２２５は、当該親指長入力モードにおいて、表示部１１０の表示画面上にセンチメートル（ｃｍ）単位で手書き入力された親指の長さを検出して、当該親指の長さを記憶部１９０に書き込んでおく。そして、指長取得部２２５は、記憶部１９０から親指の長さを読み出すことによって親指の長さを取得する。
【００２２】
支点位置検出部２３０は、ユーザが携帯端末装置１００を把持した状態で親指を動かす際の親指の支点位置を検出する。支点位置検出部２３０が親指の支点位置を検出する方法については後述する。
可動範囲取得部２３５は、操作入力部１２０の前面タッチセンサ１２１がタッチを検出可能な領域のうち、携帯端末装置１００の筐体を把持した手の親指が届く範囲を求める。以下では、携帯端末装置１００の筐体を把持した手の親指が届く範囲を「親指の可動範囲」と称する。また、いずれかの指が届く範囲を「指の可動範囲」と称する。可動範囲取得部２３５は、支点位置検出部２３０が検出した親指の支点位置、および、指長取得部２２５が取得した親指の長さに基づいて、親指の可動範囲を求める。
【００２３】
音声処理部２４０は、アプリケーション処理部２９０から出力される音声データを電気信号に変換して音声出力部１４２に出力することで、音声出力部１４２に音声を出力させる。また、音声処理部２４０は、音声入力部１４１が音声を採取して出力する電気信号を音声データに変換してアプリケーション処理部２９０に出力する。
【００２４】
通信制御部２５０は、アプリケーション処理部２９０から出力されるデータに符号化等の処理を行って、無線通信部１５０に出力して変調させ、無線信号にて送信させる。また、通信制御部２５０は、無線通信部１５０が受信して復調した信号に、復号等の処理を行ってデータを抽出し、アプリケーション処理部２９０に出力する。例えば、通信制御部２５０は、アプリケーション処理部２９０から出力される電子メールデータに符号化等の処理を行って無線通信部１５０に出力し、また、無線通信部１５０が受信して復調した信号に復号等の処理を行って電子メールデータ等のデータを抽出してアプリケーション処理部２９０に出力する。
【００２５】
アプリケーション処理部２９０は、アプリケーションを実行して（すなわち、アプリケーションプログラムを実行して）、インターネットブラウジング機能や電子メール機能など各種機能を提供する。
特に、アプリケーション処理部２９０は、操作入力部１２０の前面タッチセンサ１２１がタッチを検出可能な領域のうち、可動範囲取得部２３５が求めた親指の可動範囲内に、所定の入力操作としてのタッチ操作を受け付けるタッチ領域を設定する。例えば、アプリケーション処理部２９０は、ユーザの入力操作を受け付けるための押ボタン（入力キー）としてのアイコンを、表示部１１０の表示画面上の、親指の可動範囲内に表示させる。
【００２６】
記憶部１９０は、例えば携帯端末装置１００の具備するメモリの記憶領域にて実現され、各種データを記憶する。特に、記憶部１９０は、指長取得部２２５が検出した親指の長さを記憶する。また、記憶部１９０は、携帯端末装置１００の具備するＣＰＵが実行する各種プログラムを、予め記憶している。
【００２７】
図２は、携帯端末装置１００を前面側から見た外形の概略を示す斜視図である。同図において、携帯端末装置１００の筐体前面に、表示部１１０の表示画面および操作入力部１２０のタッチセンサ（前面タッチセンサ１２１）に該当するタッチパネル式の表示画面と、音声入力部１４１のマイクと、音声出力部１４２のスピーカとが設けられている。また、携帯端末装置１００の筐体の各側面には、側面センサ部１３０のセンサが設けられている。
【００２８】
次に、図３を参照して、支点位置検出部２３０が検出する親指の支点位置、および、可動範囲取得部２３５が取得する親指の可動範囲について説明する。
図３は、可動範囲取得部２３５が取得する親指の可動範囲の例を示す説明図である。同図では、ユーザが、携帯端末装置１００の筐体を両手持ちし、筐体前面のタッチパネルを親指で操作する場合の例が示されている。
【００２９】
辺Ｅ１０１は、携帯端末装置１００の筐体前面における左手側の辺である。また、辺Ｅ１０２は、携帯端末装置１００の筐体前面における右手側の辺である。
点Ｐ１０１は、支点位置検出部２３０が検出する左手親指の支点位置である。また、点Ｐ１０２は、支点位置検出部２３０が検出する右手親指の支点位置である。
長さＬ１０１は、指長取得部２２５が取得する親指の長さを示す。
領域Ａ１１１は、可動範囲取得部２３５が取得する左手親指の可動範囲である。また、領域Ａ１１２は、可動範囲取得部２３５が取得する右手親指の可動範囲である。
また、領域Ａ１２１と、領域Ａ１２２とは、アプリケーション処理部２９０が表示部１１０の表示画面に表示させたアイコンによって示されるタッチ領域である。
また、領域Ａ１３１は、辺Ｅ１０１のうち、左手親指の接する領域である。また、領域Ａ１３２は、辺Ｅ１０２のうち、右手親指の接する領域である。
【００３０】
ここで、支点位置検出部２３０は、側面センサ部１３０が検出するユーザの手の位置に基づいて、左手親指の支点位置（点Ｐ１０１）および右手親指の支点位置（点Ｐ１０２）を検出する。
例えば、支点位置検出部２３０は、側面センサ部１３０が検出するユーザの手の位置のうち、辺Ｅ１０１に接する領域（Ａ１３１）の位置を、例えば携帯端末装置１００の筐体前面における座標にて取得する。そして、支点位置検出部２３０は、領域Ａ１３１の中心（線分の中心点）を、左手親指の支点位置（点Ｐ１０１）として検出する。
同様に、支点位置検出部２３０は、側面センサ部１３０が検出するユーザの手の位置のうち、辺Ｅ１０２に接する領域（Ａ１３２）の位置を取得する。そして、支点位置検出部２３０は、領域Ａ１３２の中心を、右手親指の支点位置（点Ｐ１０２）として検出する。
【００３１】
また、可動範囲取得部２３５は、表示部１１０の表示画面の領域（すなわち、操作入力部１２０がタッチを検出可能な領域）のうち、左手親指の支点位置（点Ｐ１０１）を中心とし、親指の長さ（長さＬ１０１）を半径とする円と重なる領域（領域Ａ１１１）を、左手親指の可動範囲として取得（設定）する。
同様に、可動範囲取得部２３５は、表示部１１０の表示画面の領域のうち、右手親指の支点位置（点Ｐ１０２）を中心とし、親指の長さ（長さＬ１０１）を半径とする円と重なる領域（領域Ａ１１２）を、右手親指の可動範囲として取得（設定）する。
【００３２】
そして、アプリケーション処理部２９０は、表示部１１０の表示画面の領域のうち、左手親指の可動範囲内または右手親指の可動範囲内に、所定の入力操作としてのタッチ操作を受け付けるタッチ領域を設定する。図３の例では、アプリケーション処理部２９０は、左手親指の可動範囲内に、押ボタンＡのアイコンおよび押ボタンＢのアイコンを表示させている。そして、これらアイコンの表示領域は、押ボタンを押下するタッチ操作を受け付けるタッチ領域に設定されている。
【００３３】
次に図４および図５を参照して、携帯端末装置１００の動作について説明する。
図４は、可動範囲取得部２３５が親指の可動範囲を取得する際の携帯端末装置１００の動作を示すフローチャートである。携帯端末装置１００は、例えば、アプリケーションの実行開始時に同図の処理を開始する。
【００３４】
同図の処理において、まず、指長取得部２２５が、記憶部１９０から親指の長さを示す情報を読み出すことによって親指の長さを取得する（ステップＳ１０１）。
次に、支点位置検出部２３０は、図３で説明したように、側面センサ部１３０が検出するユーザの手の位置に基づいて、親指の支点位置を検出する（ステップＳ１０２）。
ここで、ユーザが携帯端末装置１００の筐体を両手持ちしている場合は、側面センサ部１３０が、左手側と右手側との両方にユーザの手の接触する位置を検出し、支点位置検出部２３０は、左手と右手との両方について親指の支点位置を検出する。
一方、ユーザが携帯端末装置１００の筐体を片手持ちしている場合、側面センサ部１３０が、当該手の側でのみユーザの手の接触する位置を検出し、支点位置検出部２３０は、当該手について親指の支点位置を検出する。例えば、ユーザが携帯端末装置１００の筐体を右手のみで把持している場合、側面センサ部１３０が、筐体の右側（図３の例では辺Ｅ１０２側）でのみユーザの手の接触する位置を検出し、支点位置検出部２３０は、検出された位置に基づいて、右手親指の支点位置を検出する。
【００３５】
次に、可動範囲取得部２３５が、指長取得部２２５が取得した指の長さと、支点位置検出部２３０が取得した親指の支点位置とに基づいて、表示部１１０の表示画面の領域における親指の可動範囲を取得する（ステップＳ１０３）。
ここで、ステップＳ１０２において、支点位置検出部２３０が、左手と右手との両方について親指の支点位置を検出した場合、可動範囲取得部２３５は、左手と右手との両方について親指の可動範囲を取得する。一方、支点位置検出部２３０が、一方の手について親指の支点位置を検出した場合、可動範囲取得部２３５は、当該手の親指の可動範囲を取得する。
その後、同図の処理を終了する。
【００３６】
なお、携帯端末装置１００が図４の処理を開始するタイミングは、上述したアプリケーションの実行開始時に限らない。例えば、携帯端末装置１００が、アプリケーションの実行において操作キーのアイコンを表示する際に、同図の処理を開始するようにしてもよい。アイコンを表示する毎に可動範囲を取得することにより、ユーザが携帯端末装置１００を持ち替えた場合でも、可動範囲取得部２３５は、親指の可動範囲を適切に検出し得る。従って、アプリケーション処理部２９０は、ユーザがタッチ操作容易な位置にタッチ領域を設定し得る。
【００３７】
図５は、アプリケーション処理部２９０が表示部１１０の表示画面に、タッチ領域を示すアイコンを表示させる際の携帯端末装置１００の動作を示すフローチャートである。携帯端末装置１００は、例えば、アプリケーションの実行において操作キーのアイコンを表示する際に、同図の処理を開始する。
同図の処理において、まず、アプリケーション処理部２９０は、表示部１１０の表示画面の領域のうち、可動範囲取得部２３５によって親指の可動範囲に設定された領域内に、タッチ領域を設定する（ステップＳ２０１）。
【００３８】
次に、アプリケーション処理部２９０は、タッチ領域を示すアイコン（例えば押ボタンのアイコン）の画像を取得し、取得したアイコンの画像を、ステップＳ２０１で設定したタッチ領域に表示させる（ステップＳ２０２）。
例えば、アプリケーション処理部２９０は、記憶部１９０が予め記憶するアイコン画像を読み出すことによって当該アイコン画像を取得し、取得したアイコン画像を、ステップＳ２０１で設定したタッチ領域に表示するよう指示する信号を、表示制御部２１０に出力する。そして、表示制御部２１０は、当該信号に従って表示部１１０を制御して、表示画面上の当該タッチ領域に当該アイコンを表示させる。
その後、同図の処理を終了する。
【００３９】
以上のように、指長取得部２２５が、親指の長さを取得し、また、支点位置検出部２３０が、携帯端末装置１００を把持した状態で指を動かす際の指の支点位置を検出する。そして、アプリケーション処理部２９０は、操作入力部１２０の前面タッチセンサ１２１がタッチを検出可能な領域のうち、親指の支点位置および親指の長さに基づいて求められる指の可動範囲内に、所定の入力操作としてのタッチ操作を受け付けるタッチ領域を設定する。
これによって、所定の入力操作としてのタッチ操作を受け付けるタッチ領域をより適切に設定し得る。すなわち、携帯端末装置１００（可動範囲取得部２３５）は、親指の長さおよび親指の支点位置に基づいて、親指の可動範囲をより正確に取得し得る。そして、携帯端末装置１００（アプリケーション処理部２９０）は、得られた親指の可動範囲内にタッチ領域を設定することで、ユーザがタッチ操作容易な位置にタッチ領域を設定し得る。
【００４０】
また、携帯端末装置１００は、タッチ領域を設定する位置を親指の可動範囲内に限定することで、タッチ操作の誤検出を防止し得る。
ここで、親指の可動範囲外にて検出されるタッチは、ネクタイまたは髪の毛が偶然接触して行われたタッチなど、ユーザの指以外によって行われたユーザの意図しないタッチであることが考えられる。特に、ユーザが携帯端末装置１００の筐体を両手持ちしている場合、親指の可動範囲外にて検出されるタッチは、ユーザの指以外によって行われたユーザの意図しないタッチである可能性が高い。
そこで、携帯端末装置１００は、タッチ領域を設定する位置を親指の可動範囲内に限定することで、親指の可動範囲外にて検出されるタッチを無視する（すなわち、当該タッチに対して別段の処理を行わない）ようにでき、タッチ操作の誤検出を防止し得る。
【００４１】
＜第２の実施形態＞
図６は、本発明の第２の実施形態における携帯端末装置の機能構成を示す概略ブロック図である。同図において、携帯端末装置３００は、第１表示部３１１と、第２表示部３１２と、第１操作部３２１と、第２操作部３２２と、側面センサ部１３０と、音声入力部１４１と、音声出力部１４２と、無線通信部１５０と、重力センサ部３６０と、制御部３８０と、記憶部１９０とを具備する。第１操作部３２１は、前面タッチセンサ３２６を具備する。第２操作部３２２は、背面タッチセンサ３２７を具備する。制御部３８０は、表示制御部４１０と、入力処理部４２０と、指長取得部４２５と、支点位置検出部４３０と、可動範囲取得部４３５と、音声処理部２４０と、通信制御部２５０と、傾き検出部４６０と、アプリケーション処理部（タッチ領域設定部、処理部）４９０とを具備する。
同図において、図１の各部に対応して同様の機能を有する部分には同一の符号（１３０、１４１、１４２、１５０、１９０、２４０、２５０）を付して説明を省略する。
【００４２】
携帯端末装置３００は、携帯端末装置１００（図１）と同様、例えば携帯情報端末装置であり、ユーザ操作に応じてインターネットブラウジング（Internet Browsing）機能や電子メール機能など各種機能を提供する。ただし、携帯端末装置３００は、背面にもタッチセンサ（背面タッチセンサ３２７）を具備する点で携帯端末装置１００と異なる。
【００４３】
第１表示部３１１は、例えば液晶ディスプレイまたは有機ＥＬ（Organic Electro-Luminescence）ディスプレイ等の表示画面を、携帯端末装置３００の筐体前面に有し、表示制御部４１０の制御に従って動画像や静止画像やテキスト（文字）などの各種画像を表示する。
第２表示部３１２は、例えば液晶ディスプレイまたは有機ＥＬ（Organic Electro-Luminescence）ディスプレイ等の表示画面を、携帯端末装置３００の筐体背面に有し、表示制御部４１０の制御に従って動画像や静止画像やテキスト（文字）などの各種画像を表示する。
【００４４】
第１操作部３２１は、第１表示部３１１の表示画面に設けられたタッチセンサ（前面タッチセンサ３２６）を有し、ユーザ操作を受け付ける。すなわち、第１表示部３１１の表示画面と第１操作部３２１の前面タッチセンサ３２６とで、タッチパネルを構成する。
第１操作部３２１は、第１表示部３１１の表示画面に対するタッチ操作を検出すると、タッチ位置（表示画面におけるタッチされた位置）を示す信号を入力処理部４２０に出力する。
【００４５】
第２操作部３２２は、第２表示部３１２の表示画面に設けられたタッチセンサ（背面タッチセンサ３２７）を有し、ユーザ操作を受け付ける。すなわち、第２表示部３１２の表示画面と第２操作部３２２の背面タッチセンサ３２７とで、タッチパネルを構成する。
但し、第２操作部３２２が有するタッチセンサは、携帯端末装置３００の筐体背面に設けられたタッチパッドのタッチセンサであってもよい。すなわち、携帯端末装置３００が、第２表示部３１２を具備せず、従って筐体背面に表示画面を具備せず、代わりに筐体背面にタッチパッドを具備するようにしてもよい。
第２操作部３２２は、第２表示部３１２の表示画面に対するタッチ操作を検出すると、タッチ位置（表示画面におけるタッチされた位置）を示す信号を入力処理部４２０に出力する。
【００４６】
重力センサ部３６０は、筐体内部に設けられた重力センサ（加速度センサ）を有し、重力加速度を検出することで鉛直下向きを検出する。
【００４７】
制御部３８０は、携帯端末装置３００の各部を制御して各種機能を実行する。制御部３８０は、例えば、携帯端末装置３００の具備するＣＰＵ（Central Processing Unit、中央処理装置）が、携帯端末装置３００の具備するメモリからプログラムを読み出して実行することにより実現される。
【００４８】
表示制御部４１０は、第１表示部３１１と第２表示部３１２とを制御して、各々に各種画像を表示させる。具体的には、表示制御部４１０は、アプリケーション処理部４９０から出力される動画像データや静止画像データやテキストデータ等に基づいて画面表示用の信号を生成して第１表示部３１１に出力することにより第１表示部３１１の表示画面に画像を表示させ、また、同様に画面表示用の信号を生成して第２表示部３１２に出力することにより第２表示部３１２の表示画面に画像を表示させる。
【００４９】
入力処理部４２０は、第１操作部３２１や第２操作部３２２が受け付けた操作に応じた信号をアプリケーション処理部４９０に出力する。
例えば、入力処理部４２０は、第１表示部３１１がアイコンを表示している状態で、第１表示部３１１の表示画面におけるタッチ位置を示す信号が第１操作部３２１から出力されると、アイコンをタッチされたか否かを判定する。そして、入力処理部４２０は、アイコンをタッチされたと判定すると、タッチされたアイコンを示す情報をアプリケーション処理部４９０に出力する。
【００５０】
指長取得部４２５は、指長取得部２２５（図１）と同様、親指の長さを取得する。加えて、指長取得部４２５は、人差し指、中指、薬指または小指の少なくともいずれか１つの長さを取得する。
例えば、携帯端末装置３００は、親指、人差し指、中指、薬指および小指の各々の長さの入力を受け付ける指長入力モードを有し、指長取得部４２５は、当該指長入力モードにおいて、第１表示部３１１の表示画面上にセンチメートル（ｃｍ）単位で手書き入力された各指の長さを検出して、当該各指の長さを記憶部１９０に書き込んでおく。そして、指長取得部４２５は、記憶部１９０から各指の長さを読み出すことによって各指の長さを取得する。
【００５１】
支点位置検出部４３０は、支点位置検出部２３０（図１）と同様、ユーザが携帯端末装置３００を把持した状態で親指を動かす際の親指の支点位置を検出する。加えて、支点位置検出部４３０は、携帯端末装置３００を把持した状態で人差し指、中指、薬指または小指の少なくともいずれか１つを動かす際の当該指の支点位置を検出する。支点位置検出部４３０が人差し指、中指、薬指または小指の支点位置を検出する方法については後述する。
【００５２】
可動範囲取得部４３５は、可動範囲取得部２３５（図１）と同様、第１操作部３２１の前面タッチセンサ３２６がタッチを検出可能な領域のうち、親指の可動範囲を求める。加えて、可動範囲取得部４３５は、第２操作部３２２の背面タッチセンサ３２７がタッチを検出可能な領域のうち、人差し指、中指、薬指または小指の少なくともいずれか１つについて、携帯端末装置３００の筐体を把持した手の当該指が届く範囲を求める。以下では、人差し指、中指、薬指または小指について、携帯端末装置３００の筐体を把持した手の当該指が届く範囲を、当該指の「可動範囲」と称する。
可動範囲取得部４３５は、支点位置検出部４３０が検出した指の支点位置、および、指長取得部４２５が取得した当該指の長さに基づいて、当該指の可動範囲を求める。
【００５３】
傾き検出部４６０は、携帯端末装置３００の筐体における基準の向きと、重力センサ部３６０が検出する鉛直下向きとの差を算出することによって、携帯端末装置３００の筐体の傾きを検出する。例えば、傾き検出部４６０は、携帯端末装置３００の筐体を横長に立てた際の鉛直下向きを携帯端末装置３００の筐体における基準の向きとして、当該基準の向きと重力センサ部３６０が検出する鉛直下向きとの差を算出することによって、携帯端末装置３００の筐体の左右方向の傾きを検出する。
【００５４】
アプリケーション処理部４９０は、アプリケーション処理部２９０（図１）と同様、アプリケーションを実行して（すなわち、アプリケーションプログラムを実行して）、インターネットブラウジング機能や電子メール機能など各種機能を提供する。
特に、アプリケーション処理部４９０は、アプリケーション処理部２９０と同様、第１操作部３２１の前面タッチセンサ３２６がタッチを検出可能な領域のうち、可動範囲取得部４３５が求めた親指の可動範囲内に、所定の入力操作としてのタッチ操作を受け付けるタッチ領域を設定する。
また、アプリケーション処理部４９０は、第２操作部３２２の背面タッチセンサ３２７がタッチを検出可能な領域のうち、可動範囲取得部４３５が人差し指、中指、薬指または小指の少なくともいずれか１つについて求めた指の可動範囲内に、所定の入力操作としてのタッチ操作を受け付けるタッチ領域を設定する。
【００５５】
図７は、携帯端末装置３００を前面側から見た外形の概略を示す斜視図である。同図における外形は、図２における携帯端末装置１００の外形と同様であり、携帯端末装置３００の筐体前面に、第１表示部３１１の表示画面および第１操作部３２１のタッチセンサ（前面タッチセンサ３２６）に該当するタッチパネル式の表示画面と、音声入力部１４１のマイクと、音声出力部１４２のスピーカとが設けられている。また、携帯端末装置３００の筐体の各側面には、側面センサ部１３０のセンサが設けられている。
【００５６】
図８は、携帯端末装置３００を背面側から見た外形の概略を示す斜視図である。同図において、携帯端末装置３００の筐体裏面に、第２表示部３１２の表示画面および第２操作部３２２のタッチセンサ（背面タッチセンサ３２７）に該当するタッチパネル式の表示画面が設けられている。また、図７で説明したように、携帯端末装置３００の筐体の各側面には、側面センサ部１３０のセンサが設けられている。
ここで図８に示す第２表示部３１２の表示画面は、図７に示す第１表示部３１１の表示画面に対向して配置されている。
【００５７】
次に、図９を参照して、支点位置検出部４３０が検出する指の支点位置、および、可動範囲取得部４３５が取得する指の可動範囲について説明する。
図９は、可動範囲取得部４３５が取得する指の可動範囲の例を示す説明図である。同図では、ユーザが、携帯端末装置３００の筐体を両手持ちし、筐体背面のタッチパネルを中指でタッチ操作する場合の例が示されている。
【００５８】
辺Ｅ２０１は、携帯端末装置３００の筐体背面における左手側の辺である。また、辺Ｅ２０２は、携帯端末装置３００の筐体背面における右手側の辺である。
点Ｐ２０１は、支点位置検出部４３０が検出する左手中指の支点位置である。また、点Ｐ２０２は、支点位置検出部４３０が検出する右手中指の支点位置である。
長さＬ２０１は、指長取得部４２５が取得する中指の長さを示す。
領域Ａ２１１は、可動範囲取得部４３５が取得する左手中指の可動範囲である。また、領域Ａ２１２は、可動範囲取得部４３５が取得する右手中指の可動範囲である。
【００５９】
例えば、指長取得部４２５が、人差し指、中指、薬指または小指のうちいずれか１本のみの長さを取得した状態（すなわち、記憶部１９０が、人差し指、中指、薬指または小指のうちいずれか１本のみの長さを記憶している状態）で、側面センサ部１３０が、辺Ｅ２０１において１本の指のみの接触を検出した場合、支点位置検出部４３０は、当該指の支点位置を検出する。ここで、タッチ操作を行う指は、タッチパネルに接触するために、他の指よりも筐体本体に近い位置にあることが期待される。そこで、側面センサ部１３０が接触を検出した指によってタッチ操作が行われるものと仮定して、支点位置検出部４３０が当該指の支点位置を検出するようにし、可動範囲取得部４３５が当該視点位置に基づいて指の可動範囲を取得するようにする。
支点位置検出部４３０は、図３で説明したのと同様に、指が辺２０１に接する領域の中心を、当該指の支点位置（Ｐ２０１）として検出する。
同様に、指長取得部４２５が、人差し指、中指、薬指または小指のうちいずれか１本のみの長さを取得した状態で、側面センサ部１３０が、辺Ｅ２０２において１本の指のみの接触を検出した場合、支点位置検出部４３０は、当該指の支点位置を検出する。
【００６０】
また、可動範囲取得部４３５は、第２操作部３２２がタッチを検出可能な領域のうち、支点位置検出部４３０が検出した支点位置（図９の例では左手中指の支点位置である点Ｐ２０１、および、右手中指の支点位置である点Ｐ２０２）を中心とし、指長取得部４２５が取得する指の長さ（図９の例では中指の長さＬ２０１）を半径とする円と重なる領域（領域Ａ２１１およびＡ２１２）を、指の可動範囲として取得（設定）する。
【００６１】
そして、アプリケーション処理部４９０は、第２操作部３２２がタッチを検出可能な領域のうち、可動範囲取得部４３５が設定した指の可動範囲内に、所定の入力操作としてのタッチ操作を受け付けるタッチ領域を設定する。このタッチ領域の具体例については後述する。
なお、ユーザが携帯端末装置３００の筐体を片手持ちしている場合、図４で説明したのと同様に、可動範囲取得部４３５は、筐体を把持している手の側について指の可動範囲を取得する。
【００６２】
なお、側面センサ部１３０が、辺Ｅ２０１において４本の指の接触を検出した場合、支点位置検出部４３０は、各指の支点位置を検出し、可動範囲取得部４３５は、各指の可動範囲を取得する。この場合、可動範囲取得部４３５は、第１表示部３１１が表示画面に表示している画像における上側を、ユーザの体から遠い側と判定して、当該ユーザの体から遠い側の指から順に人差し指、中指、薬指、小指と判定する。そして、可動範囲取得部４３５は、各指の支点位置と、指長取得部４２５が取得する各指の長さとに基づいて、各指の可動範囲を取得する。右手（辺２０２側）についても同様である。
【００６３】
また、側面センサ部１３０は、掌の接触を検出した場合、支点位置検出部４３０は、当該掌の接触位置に基づいて、各指の支点位置を検出する。
図１０は、筐体背面の辺に左手の掌が接触している状態の例を示す説明図である。
ここで、長さＬ３０１は、筐体背面の辺に左手の掌が接触している部分の長さを示す。また、長さＬ３０２は、長さＬ３０１を８等分した長さである。
また、点Ｐ３０１〜Ｐ３０４は、支点位置検出部４３０が指の支点位置として検出する点である。
【００６４】
支点位置検出部４３０は、筐体背面の辺に掌が接触している部分の端から長さＬ３０２の位置に支点位置（点Ｐ３０１）を検出する。同様に、支点位置検出部４３０は、筐体背面の辺に掌が接触している部分の端から長さＬ３０２の３倍の位置、５倍の位置、７倍の位置にそれぞれ支点位置（点Ｐ３０２、Ｐ３０３、Ｐ３０４）を検出する。ここで、人差し指、中指、薬指および小指の太さはおよそ等しい。そこで、各指の太さを長さＬ３０１の４分の１として、支点位置検出部４３０が上記のように支点位置を検出するようにする。
【００６５】
次に、図１１および図１２を参照して、アプリケーション処理部４９０が設定するタッチ領域について説明する。
図１１は、アプリケーション処理部４９０が、第１表示部３１１の表示画面と、第２表示部３１２の表示画面とに互いに対向して設定するタッチ領域の例を示す説明図である。
【００６６】
同図において、領域Ａ３１１およびＡ３１２は、第１表示部３１１の表示画面の領域において可動範囲取得部４３５が取得する親指の可動範囲を示す領域である。また、領域Ａ３２１およびＡ３２２は、第２表示部３１２の表示画面の領域において可動範囲取得部４３５が取得する指（タッチ操作を行う指。以下では当該指を中指として説明するが、他の指であってもよいし、複数の指のいずれかでタッチ可能な領域であってもよい）の可動範囲を示す領域である。
また、領域Ａ３３１は、アプリケーション処理部４９０が、第１表示部３１１の表示画面上に設定したタッチ領域である。また、領域Ａ３３２は、アプリケーション処理部４９０が、第２表示部３１２の表示画面上に設定したタッチ領域である。
【００６７】
アプリケーション処理部４９０は、第１表示部３１１の表示画面のうち親指の可動範囲内に、タッチ領域Ａ３３１を設定する。その際、アプリケーション処理部４９０は、第２表示部３１２の表示画面において、タッチ領域Ａ３３１に対向する領域（領域Ａ３３２）が、中指の可動領域に含まれるように、タッチ領域Ａ３３１を設定する。そして、アプリケーション処理部４９０は、このタッチ領域Ａ３３１に対向する領域Ａ３３２もタッチ領域として設定する。
すなわち、アプリケーション処理部４９０は、第１表示部３１１の表示画面と、第２表示部３１２の表示画面との、互いに対向する位置、かついずれの表示画面においても指の可動範囲に含まれる位置に、それぞれタッチ領域を設定する。
【００６８】
このように、アプリケーション処理部４９０が、第１表示部３１１の表示画面と、第２表示部３１２の表示画面との、互いに対向する領域に、かつ、いずれの表示画面においても指の可動範囲内にタッチ領域を設定することで、ユーザは、これらのタッチ領域の間に関連性があることを直感的に把握して、容易に操作を行うことができる。
【００６９】
例えば、アプリケーション処理部４９０が、第１操作部３２１が領域Ａ３３１へのタッチ操作を受け付けた場合と、第２操作部３２２が領域Ａ３３２へのタッチ操作を受け付けた場合とで同一の処理を行うようにすれば、ユーザは、第１表示部３１１の表示画面へのタッチ操作と、第２表示部３１２の表示画面へのタッチ操作とのうちいずれかを選択してタッチ操作を行うことができる。第１表示部３１１の表示画面へのタッチ操作を行う場合、ユーザは、タッチ位置を視認して、より確実にタッチ操作を行うことができる。また、第２表示部３１２の表示画面へのタッチ操作を行う場合、ユーザは、視界を指で遮られずに第１表示部３１１の表示画面を見ながらタッチ操作を行うことができる。
【００７０】
一方、アプリケーション処理部４９０が、第１操作部３２１が領域Ａ３３１へのタッチ操作を受け付けた場合と、第２操作部３２２が領域Ａ３３２へのタッチ操作を受け付けた場合とで異なる処理を行うようにすれば、ユーザは、表示画面上の所定の領域（例えば第１表示部３１１の表示画面においてアイコンが表示されている領域Ａ３３１）に対する異なる操作を、直感的に容易に行うことが出来る。例えば、アプリケーション処理部４９０が、領域Ａ３３１へのタッチ操作をマウスの左クリック操作（マウスの左ボタンを押下する操作）として処理し、領域Ａ３３２へのタッチ操作をマウスの右クリック操作（マウスの右ボタンを押下する操作）として処理することで、ユーザは、マウス等の器具を用いずとも、同一の領域に対する異なる操作を容易に行うことが出来る。
【００７１】
図１２は、アプリケーション処理部４９０が、第１表示部３１１の表示画面における位置を指定するタッチ領域（第１表示部３１１の表示画面に対するポインティングデバイス用途のタッチ領域）を、第２表示部３１２の表示画面上に設定した例を示す説明図である。
同図において、領域Ａ３２１およびＡ３２２は、図１１の場合と同様、第２表示部３１２の表示画面の領域において可動範囲取得部４３５が取得する中指の可動範囲を示す領域である。
また、領域Ａ４３１は、アプリケーション処理部４９０が、第２表示部３１２の表示画面上に設定したタッチ領域である。
また、位置Ｐ４１１は、領域Ａ４３１のうちタッチ操作の行われた位置を示し、位置Ｐ４１２は、第１表示部３１１の表示画面において位置Ｐ４１１に対応付けられた位置を示す。
【００７２】
アプリケーション処理部４９０は、第２表示部３１２の表示画面のうち中指の可動範囲内にタッチ領域Ａ４３１を設定する。このタッチ領域Ａ４３１の各部は、第１表示部３１１の表示画面の各部に対応付けられている。そして、アプリケーション処理部４９０は、タッチ領域Ａ４３１へのタッチ操作が行われると、第１表示部３１１の表示画面において、タッチ位置に対応付けられた位置にカーソルを表示する。図１２の例では、アプリケーション処理部４９０は、位置Ｐ４１１へのタッチ操作に応じて、この位置Ｐ４１１に対応付けられた位置Ｐ４１２にカーソルを表示している。
【００７３】
このように、アプリケーション処理部４９０が、第２表示部３１２の表示画面のうち中指の可動範囲（タッチ操作を行う指の可動範囲）内に、第１表示部３１１の表示画面における位置を指定するタッチ領域を設定することで、ユーザは、第１表示部３１１の表示画面における位置を容易に指定できる。例えば、ユーザは、第１表示部３１１の表示画面に表示されたカーソルの位置を容易に移動させることができる。
【００７４】
以上のように、指長取得部４２５が、人差し指、中指、薬指または小指のうち少なくとも１つの長さを取得し、また、支点位置検出部４３０が、携帯端末装置３００を把持した状態で当該指を動かす際の指の支点位置を検出する。そして、アプリケーション処理部４９０は、第２操作入力部３２２の背面タッチセンサ３２７がタッチを検出可能な領域のうち、当該指の支点位置および当該指の長さに基づいて求められる指の可動範囲内に、所定の入力操作としてのタッチ操作を受け付けるタッチ領域を設定する。
これによって、第１の実施形態において前面側のタッチ領域について説明したのと同様、背面側においても、携帯端末装置３００は、所定の入力操作としてのタッチ操作を受け付けるタッチ領域をより適切に設定し得る。すなわち、携帯端末装置３００（可動範囲取得部４３５）は、指の長さおよび指の支点位置に基づいて、指の可動範囲をより正確に取得し得る。そして、携帯端末装置３００（アプリケーション処理部４９０）は、得られた指の可動範囲内にタッチ領域を設定することで、ユーザがタッチ操作容易な位置にタッチ領域を設定し得る。
【００７５】
また、携帯端末装置３００は、第１の実施形態において前面側のタッチ領域について説明したのと同様、背面側においても、タッチ領域を設定する位置を指の可動範囲内に限定することで、タッチ操作の誤検出を防止し得る。
【００７６】
また、アプリケーション処理部４９０が、第１表示部３１１の表示画面と、第２表示部３１２の表示画面との、互いに対向する領域に、かつ、いずれの表示画面においても指の可動範囲内にタッチ領域を設定することで、ユーザは、これらのタッチ領域の間に関連性があることを直感的に把握して、容易に操作を行うことができる。
例えば、アプリケーション処理部４９０が、第１操作部３２１が領域Ａ３３１へのタッチ操作を受け付けた場合と、第２操作部３２２が領域Ａ３３２へのタッチ操作を受け付けた場合とで同一の処理を行うようにすれば、ユーザは、第１表示部３１１の表示画面へのタッチ操作と、第２表示部３１２の表示画面へのタッチ操作とのうちいずれかを選択してタッチ操作を行うことができる。第１表示部３１１の表示画面へのタッチ操作を行う場合、ユーザは、タッチ位置を視認して、より確実にタッチ操作を行うことができる。また、第２表示部３１２の表示画面へのタッチ操作を行う場合、ユーザは、視界を指で遮られずに第１表示部３１１の表示画面を見ながらタッチ操作を行うことができる。
【００７７】
また、アプリケーション処理部４９０が、第１操作部３２１が領域Ａ３３１へのタッチ操作を受け付けた場合と、第２操作部３２２が領域Ａ３３２へのタッチ操作を受け付けた場合とで異なる処理を行うようにすれば、ユーザは、表示画面上の所定の領域に対する異なる操作を、直感的に容易に行うことが出来る。
【００７８】
なお、第１表示部３１１が表示画面にブラウザ画像を表示する状態において、アプリケーション処理部４９０が、第２表示部３１２の表示画面のうち指の可動範囲内に、ブラウザ機能の戻り操作（直前に表示していた画面（ウェブページ等）のブラウザ画像を表示させる操作）のタッチ領域を設定するようにしてもよい。例えば、アプリケーション処理部４９０は、第２表示部３１２の表示画面のうち指の可動範囲全体を、戻り操作のタッチ領域に設定する。
そして、アプリケーション処理部４９０は、設定したタッチ領域へのタッチ操作が行われると、第１表示部３１１に、直前に表示していた画面のブラウザ画像を表示させる。すなわち、アプリケーション処理部４９０は、第１表示部３１１の表示する画面を戻す。
これによって、ユーザは、例えば人差し指または中指でのタッチ操作という容易な操作で、ブラウザに表示される画面を戻すことができる。
【００７９】
なお、アプリケーション処理部４９０が、第１表示部３１１の表示画面にカーソルを表示させ、傾き検出部４６０の検出する携帯端末装置３００の筐体の傾きに応じてカーソルを移動（スクロール）させる状態、すなわち、重力スクロールを行う状態において、アプリケーション処理部４９０が、第２表示部３１２の表示画面のうち指の可動範囲内に、カーソル（スクロール）停止操作のタッチ領域を設定するようにしてもよい。例えば、アプリケーション処理部４９０は、第２表示部３１２の表示画面のうち指の可動範囲全体を、カーソル停止操作のタッチ領域に設定する。
そして、アプリケーション処理部４９０は、設定したタッチ領域へのタッチ操作が行われると、第１表示部３１１の表示画面に表示させるカーソルを停止させる。すなわち、アプリケーション処理部４９０は、重力スクロールを中止させる。
これによって、ユーザは、例えば人差し指または中指でのタッチ操作という容易な操作で、カーソルを停止させることができる。
【００８０】
なお、制御部１８０または制御部３８０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８１】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８２】
１００、３００  携帯端末装置
１１０  表示部
１２０  操作入力部
１３０  側面センサ部
１４１  音声入力部
１４２  音声出力部
１５０  無線通信部
１８０、３８０  制御部
１９０  記憶部
２１０、４１０  表示制御部
２２０、４２０  入力処理部
２２５、４２５  指長取得部
２３０、４３０  支点位置検出部
２３５、４３５  可動範囲取得部
２４０  音声処理部
２５０  通信制御部
２９０、４９０  アプリケーション処理部
３１１  第１表示部
３１２  第２表示部
３２１  第１操作部
３２２  第２操作部
３６０  重力センサ部
４６０  傾き検出部
【図１】
2013073330.tif 000003
【図２】
2013073330.tif 000004
【図３】
2013073330.tif 000005
【図４】
2013073330.tif 000006
【図５】
2013073330.tif 000007
【図６】
2013073330.tif 000008
【図７】
2013073330.tif 000009
【図８】
2013073330.tif 000010
【図９】
2013073330.tif 000011
【図１０】
2013073330.tif 000012
【図１１】
2013073330.tif 000013
【図１２】
2013073330.tif 000014